(57)【特許請求の範囲】
【請求項１】
上辺に上枠を、下辺に下枠を、竪辺に竪枠を、それぞれ設けて成り、上下左右に連接される複数枚のカーテンウォールの竪辺を構成する竪枠同士の間に入り込んだ雨水を所定の排水流路に導くべく、上側のカーテンウォールの下端縁部に位置する下枠の下面と下側のカーテンウォールの上端縁部に位置する上枠の上面との間で、且つ、左右に隣り合う竪枠の下端面に対向する位置に、この竪枠に沿って流下する雨水を受け止める為の板状のキャッチパンを固定して成るカーテンウォール用雨水捕集装置に於いて、上記上枠はその上端部に、屋内外方向に離隔した状態で設けられた１対の突条と、これら両突条同士の間に存在する溝部分とを備えたものであって、これら両突条の上端部の互いに対向する側面にそれぞれパッキングを係止しており、上記下枠はその下端部に、これら両パッキング同士の間に挿入される突部を設けたものであり、上記キャッチパンは、金属板を折り曲げ成形する事により造られて、上記突部に外嵌される、下方に突出する断面コ字形で、自由状態での幅寸法が上記両パッキングの自由状態での間隔よりも大きな、溝状の嵌合部と、この嵌合部の屋内外方向両側に設けられて上記両突条に外嵌される、屋内側覆い部及び屋外側覆い部とを備えたものであり、上記下枠の下面と上枠の上面との間に挟持された状態で、上記上側のカーテンウォールの竪枠の下端面に対向する位置に固定されている事を特徴とするカーテンウォール用雨水捕集装置。
【請求項２】
上側のカーテンウォールの下枠の下端部の突部と下側のカーテンウォールの竪枠の上端縁部に形成された切り欠きとの間で、キャッチパンの中央部と、このキャッチパンの中央部上面に添設された弾性材製の上側気密材と、このキャッチパンの中央部下面に添設された弾性材製の下側気密材とを挟持する事により、このキャッチパンを上側のカーテンウォールの竪枠の下端面に対向する位置に固定している、請求項１に記載したカーテンウォール用雨水捕集装置。
【発明の詳細な説明】
【０００１】
【発明の属する技術分野】
この発明に係るカーテンウォール用雨水捕集装置は、ビルディングの壁面を構成するカーテンウォールに組み込み、このカーテンウォールを構成する竪枠に沿って流下する雨水を、所定の排水流路に導くものである。
【０００２】
【従来の技術】
鉄骨ビルディングは、鉄骨を組み合わせて成る躯体の一部に複数枚のカーテンウォールを吊り下げる事により、上記鉄骨ビルディングの外壁面を構成する。又、上記各カーテンウォールは、鋼材を組み合わせて十分な強度を確保して成る本体枠の屋外側面に、窓枠等を含むパネルを設ける事により構成している。この様なカーテンウォールを構成する窓枠は、上枠と下枠と竪枠（方立）とを備えている。複数枚のカーテンウォールを上記躯体に対して上下方向に連接する際には、上側のカーテンウォールの下端縁を構成する下枠の下面の一部と、下側のカーテンウォールの上端縁を構成する上枠の上面の一部とを互いに嵌合させる。又、左右に隣り合うカーテンウォール同士を連接する際には、各カーテンウォールの竪辺を構成する竪枠同士を突き合わせる。
【０００３】
この様なカーテンウォールの一部には雨水捕集装置を設けて、上記隣り合うカーテンウォールの竪辺を構成する竪枠同士の間に入り込み、これら各竪枠に沿って流下する雨水を、所定の排水流路に導く様にしている。即ち、上記上側のカーテンウォールの下端縁を構成する下枠の下面と、上記下側のカーテンウォールの上端縁を構成する上枠の上面との間で、且つ、上記互いに突き合わされた竪枠の下端面に対向する位置に、これら各竪枠に沿って流下する雨水を受け止める為の板状のキャッチパンを固定している。上記各竪枠に沿って流下した雨水は、上記キャッチパンの上面に受け止めて、上記窓枠を構成する枠材（通常は竪枠）の内部に設けた排水流路に導く。尚、この様なキャッチパンを上記カーテンウォールの一部に固定する為に従来は、ねじ止め、或は接着等によっていた。
【０００４】
【発明が解決しようとする課題】
上下に隣り合うカーテンウォール同士の間にキャッチパンを装着する作業は、建設現場で行なわなければならない。従って、建設作業の能率化を図る為には、キャッチパンの装着作業を簡略化する必要がある。従来の様に、ねじ或は接着によりキャッチパンをカーテンウォールに固定すると、装着作業が面倒で、上記能率化を図る事が難しい。本発明のカーテンウォール用雨水捕集装置は、この様な事情に鑑みて発明したものである。
【０００５】
【課題を解決するための手段】
本発明のカーテンウォール用雨水捕集装置は、前述した従来のカーテンウォール用雨水捕集装置と同様に、上辺に上枠を、下辺に下枠を、竪辺に竪枠を、それぞれ設けて成り、上下左右に連接される複数枚のカーテンウォールの竪辺を構成する竪枠同士の間に入り込んだ雨水を所定の排水流路に導くべく、上側のカーテンウォールの下端縁部に位置する下枠の下面と下側のカーテンウォールの上端縁部に位置する上枠の上面との間で、且つ、左右に隣り合う竪枠の下端面に対向する位置に、この竪枠に沿って流下する雨水を受け止める為の板状のキャッチパンを固定して成る。
【０００６】
特に、本発明のカーテンウォール用雨水捕集装置に於いては、上記上枠はその上端部に、屋内外方向に離隔した状態で設けられた１対の突条と、これら両突条同士の間に存在する溝部分とを備えたものである。又、これら両突条の上端部の互いに対向する側面にそれぞれパッキングを係止している。又、上記下枠はその下端部に、これら両パッキング同士の間に挿入される突部を設けたものである。更に、上記キャッチパンは、金属板を折り曲げ成形する事により造られて、上記突部に外嵌される、下方に突出する断面コ字形で、自由状態での幅寸法が上記両パッキングの自由状態での間隔よりも大きな、溝状の嵌合部と、この嵌合部の屋内外方向両側に設けられて上記両突条に外嵌される、屋内側覆い部及び屋外側覆い部とを備えたものである。そして、上記キャッチパンは、上記下枠の下面と上枠の上面との間に挟持された状態で、上記上側のカーテンウォールの竪枠の下端面に対向する位置に固定している。
【０００７】
【作用】
上述の様に構成される本発明のカーテンウォール用雨水捕集装置の場合には、キャッチパンを、下側のカーテンウォールの上端縁を構成する上枠の上面に嵌合した後、鉄骨ビルディングを構成する躯体にカーテンウォールを組み付ける事により、上記キャッチパンを上下に隣り合うカーテンウォール同士の間の所定部分に組み込める。そして、上記躯体にカーテンウォールを組み付けた状態で上記キャッチパンは、上記上枠の上面と下枠の下面との間で挟持されて動く事はなくなる。従って、建設現場でのキャッチパンの組み付け作業を簡略化して、建設作業の能率化を図れる。
【０００８】
【発明の実施の形態】
図１〜１０は、本発明の実施の形態の１例を示している。鉄骨ビルディングの外壁面を構成するカーテンウォール１、１は、それぞれが図示しない本体枠の屋外側面に窓枠２、２を固定し、各窓枠２、２の内側にガラスパネル３、３を建て込んで成る。上記本体枠は、十分な剛性を有する鋼材を組み合わせて成るもので、カーテンウォール１、１全体の強度は、この本体枠により保持する。又、上記各窓枠２、２は、それぞれ上枠４と下枠５とを備える。上記各ガラスパネル３、３の上端縁は上記上枠４の下面に、同じく下端縁は上記下枠５の上面に、それぞれ係止している。
【０００９】
そして、（１枚のカーテンウォール１に上下方向に複数の窓枠２、２を連接する場合）最上段に位置する窓枠２を構成する上枠４が、各カーテンウォール１、１の上辺を構成し、同じく最下段に位置する窓枠２を構成する下枠５が、各カーテンウォール１、１の下辺を構成する。又、水平方向に隣り合う窓枠２、２同士の間には竪枠６、６を設け、これら各竪枠６、６により、上記各ガラスパネル３、３の側縁を支持している。又、これら各竪枠６、６が、上記各カーテンウォール１、１の竪辺を構成する。
【００１０】
本発明の対象となる雨水捕集装置は、上下に連接される１対のカーテンウォール１、１の上端縁端部と下端縁端部との間、即ち、下側のカーテンウォール１の上辺を構成する上枠４の端部上面と、上側のカーテンウォール１の下辺を構成する下枠５の端部下面との間で、隣り合うカーテンウォール１、１の竪辺を構成する上記竪枠６、６の下方部分にキャッチパン７を、左右に隣り合うカーテンウォール１、１同士の間に掛け渡す様に挟持固定する事により構成している。このキャッチパン７は、ステンレス鋼板等の金属板をプレス加工等で折り曲げ成形する事により、図４〜６に示す様な形状に造っている。即ち、このキャッチパン７の屋内寄り（図１、２、６の右寄り、図３、４の下寄り）部分には、下方に突出する断面コ字形で溝状の嵌合部８を形成している。
【００１１】
この嵌合部８は、上記上枠４の上面に、屋内外方向（図１、２の左右方向、図３の上下方向）に離隔して形成された、１対の突条９、１０同士の間に内嵌自在としている。即ち、上記嵌合部８の自由状態での幅寸法を、上記１対の突条９、１０の上端部で互いに対向する面に装着したパッキング１１、１１の自由状態での間隔よりも大きくしている。従って上記嵌合部８は、自身及び上記各パッキング１１、１１を弾性変形させつつ、上記１対の突条９、１０同士の間に押し込み自在である。又、上記嵌合部８の屋内側には、屋内側の突条９の上端部に被さる屋内側覆い部１２を、同じく屋外側には、屋外側の突条１０のほぼ全体に被さる屋外側覆い部１３を、それぞれ形成している。又、この屋外側覆い部１３の下端縁から屋外側に向けて、裾側覆い部１４を設けている。更に、上記嵌合部８の長さ方向両端縁部には、上記上枠４の上面に向け下方に折れ曲がった、折れ曲がり部１５、１５を形成している。上述の様な形状を有するキャッチパン７は、前記竪枠６、６の屋外側半部の下方を確実に覆える幅寸法及び長さ寸法を有する。
【００１２】
上述の様なキャッチパン７は、次述する様に、図７〜８に示す様な下側気密材１６と、図９〜１０に示す様な上側気密材１７と共に、上下に隣り合うカーテンウォール１、１の上端縁と下端縁との間に挟持して本発明のカーテンウォール用雨水捕集装置を構成する。上記各気密材１６、１７は、それぞれシリコンスポンジ等の弾性材により構成している。尚、上記下側気密材１７を嵌着すると共に、上記キャッチパン７の嵌合部８を挿通すべく、上記各カーテンウォール１、１の竪辺を構成する竪枠６、６の上端縁部には、切り欠き１８を形成している。上記下側気密材１７はこれら両竪枠６、６の上端縁部に形成した切り欠き１８に、これら両竪枠６、６に掛け渡す様に嵌合している。この様に上記下側気密材１７を上記切り欠き１８に嵌合させた状態で、上記キャッチパン７の下側に存在するカーテンウォール１の竪辺を構成する竪枠６、６同士の間に設けたパッキング１９の上端面が、上記下側気密材１６の下面に突き当たる。
【００１３】
上述の様に下側気密材１６を、下側で左右に隣り合う１対のカーテンウォール１、１の竪枠６、６同士の間に掛け渡した後、これら１対のカーテンウォール１、１の上辺を構成する上枠４の端部上面に上記キャッチパン７を、これら両カーテンウォール１、１の上枠４同士の間に掛け渡す様に外嵌する。この外嵌作業は、このキャッチパン７及び前記パッキング１１、１１を弾性変形させつつ、容易に行なえる。
【００１４】
この様にして、下側で左右に隣り合う１対のカーテンウォール１、１を構成する竪枠６、６或は上枠４、４同士の間に上記下側気密材１６及びキャッチパン７を、これら竪枠６、６或は上枠４、４に掛け渡す様に装着したならば、上記１対のカーテンウォール１、１の上方に、別のカーテンウォール１を連接する。即ち、上側で左右に隣り合う１対のカーテンウォール１、１の下辺を構成する下枠５の下面屋内寄り部分に設けた突部２０の端部を、上記キャッチパン７に形成した嵌合部８に、この嵌合部８の上方開口から押し込む。尚、この押し込み作業に先立って、この嵌合部８の中央部上面に、前記上側気密材１７を載置しておく。上記突部２０の押し込み作業を完了した時点で、上記キャッチパン７の上側に存在するカーテンウォール１の竪辺を構成する竪枠６、６同士の間に設けたパッキング１９の下端面が、上記上側気密材１７の上面に突き当たる。この作業により、本発明のカーテンウォール用雨水捕集装置が構成される。
【００１５】
この様に、上下に隣り合うカーテンウォール１、１を連接すべく、これら各カーテンウォール１、１を躯体に組み付けた状態で、上記キャッチパン７は、上記上枠４の上面及び竪枠６、６の上端縁に形成した切り欠き１８と、下枠５の下面との間で、上記下側、上側両気密材１６、１７を介して弾性的に挟持されて、動く事はなくなる。従って、完成後に、上記キャッチパン７が、所望位置からずれ動く事はなくなる。尚、上記上側気密材１７及び前記下側気密材１６を、上記嵌合部８の中央部の上面或は下面に、予め工場で接着固定しておけば、これら両気密材１７、１６の設置作業を容易に行なえて、建設現場での作業の能率化を図れる。
【００１６】
上述の様に構成されて組み立てられる本発明のカーテンウォール用雨水捕集装置の作用は、次の通りである。隣り合うカーテンウォール１、１の竪辺を構成する竪枠６、６同士の間の空間２６には、これら両竪枠６、６の屋外側半部同士の間に設けたパッキング２１、２２を押し退けて雨水が入り込む場合がある。又、上枠４の上面と下枠５の下面との間にも、パッキング１１を押し退けて雨水が入り込む場合がある。上枠４の上面と下枠５の下面との間に入り込んだ雨水は、この上枠４の上面に形成した溝部分２３に沿って流れ、竪枠６、６の上端部側面に形成した通孔２４、２４を通じて、上記空間２６内に入り込む。この様にして隣り合う竪枠６、６同士の間の空間２６内に入り込んだ雨水は、この空間２６に沿って流下する。そしてこの雨水は、カーテンウォール１、１の下端部にまで流下した状態で、上記キャッチパン７に設けた屋外側覆い部１３の上面に受け止められ、裾側覆い部１４の上面を流れて、屋外側に排出される。
【００１７】
この際、一部の雨水は、上記屋外側覆い部１３の上面に受け止められず、前記嵌合部８の上面に受け止められる可能性がある。この様にして嵌合部８内に受け止められた雨水は、この嵌合部８に沿って流れ、カーテンウォール１の上辺を構成する上枠４の上面で、前記１対の突条９、１０の間に位置する溝部分２３に達する。この様にして上枠４上面の溝部分２３に達した雨水は、この溝部分２３の底部を流れ、更に上記竪枠６、６の上端部側面に形成した通孔２４、２４を通じて、上記隣り合う竪枠６、６同士の間の空間２６内に入り込み、更に下方に流下する。この様にして、上下左右に隣り合うカーテンウォール１、１同士の間に設けたキャッチパン７により、上記空間２６内を流下する雨水を屋外側に導きつつ、この雨水を屋外側に排出する。即ち、図示の例では、上記各通孔２４、２４と空間２６とが排水流路を構成して、上記雨水をビルディングの下方に導く。
【００１８】
【発明の効果】
本発明のカーテンウォール用雨水捕集装置は、以上に述べた通り構成され作用するので、キャッチパンの装着作業を簡略化して、建設作業の能率化並びに省力化を図れる。従って、建設コストの低減に寄与できる。又、キャッチパンの装着作業自体簡単になる為、このキャッチパンの取付け不良が発生しにくくなり、雨漏り等の不良の発生を抑える事もできる。
【図面の簡単な説明】
【図１】本発明の実施の形態の１例を示す、上下に隣り合うカーテンウォール同士の連接部の縦断面図。
【図２】図１のＡ部拡大図。
【図３】上側のカーテンウォールを省略して示す、図１のＢ−Ｂ視図。
【図４】キャッチパンの平面図。
【図５】同じく屋内側から見た図。
【図６】図４の左方から見た図。
【図７】上側気密材を屋内側から見た図。
【図８】図７の左方から見た図。
【図９】下側気密材を屋内側から見た図。
【図１０】図９の左方から見た図。
【符号の説明】
１  カーテンウォール
２  窓枠
３  ガラスパネル
４  上枠
５  下枠
６  竪枠
７  キャッチパン
８  嵌合部
９、１０  突条
１１  パッキング
１２  屋内側覆い部
１３  屋外側覆い部
１４  裾側覆い部
１５  折れ曲がり部
１６  下側気密材
１７  上側気密材
１８  切り欠き
１９  パッキング
２０  突部
２１、２２  パッキング
２３  溝部分
２４  通孔
２５  押縁
２６  空間
【図１】
0003649529.tif 000002
【図２】
0003649529.tif 000003
【図３】
0003649529.tif 000004
【図４】
0003649529.tif 000005
【図５】
0003649529.tif 000006
【図６】
0003649529.tif 000007
【図７】
0003649529.tif 000008
【図８】
0003649529.tif 000009
【図９】
0003649529.tif 000010
【図１０】
0003649529.tif 000011